(57)【特許請求の範囲】
【請求項１】
燃焼灰を含む燃焼ガスを導くとともに傾斜して延在する傾斜ダクトに設けられ、
前記傾斜ダクトの底部から該傾斜ダクト内に向けて立設する立設部、及び、該立設部に連通するとともに前記燃焼ガスの下流側に向けて気体を吹き出す吹出部を有するノズルと、
前記立設部から前記吹出部へと流れるように前記気体を供給する気体供給手段と、
を備えた燃焼灰堆積防止装置において、
前記吹出部は、前記立設部の立設高さよりも低い位置に配置され、
前記立設部と吹出部との間には、該立設部から折り返して前記吹出部に向かって前記傾斜ダクトの前記底部側に下降する下降部が設けられ、
前記ノズルの前記吹出部に、前記傾斜ダクト内に対して開閉可能な蓋部材が設けられていることを特徴とする燃焼灰堆積防止装置。
【請求項２】
前記ノズルは、前記燃焼灰を含む前記燃焼ガスの流れによる磨耗を防止するための磨耗防止手段が設けられていることを特徴とする請求項１に記載の燃焼灰堆積防止装置。
【請求項３】
前記傾斜ダクトの上流部は水平ダクトに接続され、該傾斜ダクトと該水平ダクトの接続部近傍に前記燃焼灰と前記燃焼ガスを分離するためのホッパが設けられ、該ホッパの上流には、該ホッパ側に気体を吹き出すノズルが設けられていることを特徴とする請求項１または請求項２に記載の燃焼灰堆積防止装置。
【請求項４】
前記ノズルから吹き出される前記気体は、前記燃焼ガスの一部が利用されることを特徴とする請求項１から請求項３のいずれかに記載の燃焼灰堆積防止装置。
【請求項５】
燃焼灰を含む燃焼ガスを導くとともに傾斜して延在する傾斜ダクトと、該傾斜ダクトの燃焼ガス流れの上流部に接続される水平ダクトを備えたダクトにおいて、
請求項１から請求項４のいずれかに記載の燃焼灰堆積防止装置を備えていることを特徴とするダクト。
【発明の詳細な説明】
【技術分野】
【０００１】
本発明は、発電用ボイラ等の燃焼ガスを導くダクトと、ダクトに設置される燃焼灰堆積防止装置に関するものである。
【背景技術】
【０００２】
例えば、発電用ボイラ等を建設する際、立地上の制約を受けて、限られた立地条件の中でプラント全体を組み立てる必要がある。このため、ボイラからの燃焼灰を含む燃焼ガスを導くダクトにおいては、水平設置ではなく、燃焼ガス流れの下流側が高くなる勾配を有するように傾斜させて設置することが余儀なくされることがある。
この傾斜して延在する、いわゆる傾斜ダクトにおいては、ボイラから排出される燃焼灰を含む燃焼ガスを導く際に、燃焼灰が傾斜ダクト内に堆積してしまう不具合があった。特にボイラの負荷が低く、傾斜ダクト内の流速が遅くなる場合、あるいはボイラ停止時には燃焼灰の堆積が顕著である。
【０００３】
この燃焼灰の堆積を防止するため、特許文献１には、図６に示すように、傾斜ダクト１００の底部１００ａから傾斜ダクト１００内に突出させて、ファン（図示なし）からブーストアップされた燃焼ガスの一部を供給して燃焼ガスの下流側に向けてブーストアップされた燃焼ガスの一部を吹き出すノズル１０２が開示されている。このノズル１０２によって傾斜ダクト１００内に堆積した燃焼灰１０４にブーストアップされた燃焼ガスの一部を吹き付け、巻き上げることで、燃焼ガスの主流に再び乗せて燃焼灰１０４の堆積を防止するようになっている。
【０００４】
【特許文献１】特公平８−１４３６７号公報
【発明の開示】
【発明が解決しようとする課題】
【０００５】
しかしながら、特許文献１に示されたノズル１０２は、傾斜ダクト１００の傾斜底部１００ａに対して平行に延在する吹出部１０２ｂを有し、しかもこの吹出部１０２ｂの上流側に対して略直角に下方に延在して接続された立設部１０２ａを有した形状となっている。したがって、このようなノズル形状では、ある程度堆積された燃焼灰１０４が雪崩のように崩れ落ちてしまうと、この燃焼灰１０４がノズル１０２の吹出部１０２ｂから立設部１０２ａまで入り込んでしまい、最終的にはノズル１０２の内部全体をほぼ閉塞して燃焼ガスを吹き出せない状態となる可能性がある（図６参照）。また、ノズル１０２内に入り込んだ燃焼灰１０４を吹き出すように、ノズルに燃焼ガス１０５を供給するファンの風量を高めればよいが、比較的大容量のファンが必要となりコストアップが懸念される。
【０００６】
本発明は、このような事情に鑑みてなされたものであって、傾斜ダクト内に堆積された燃焼灰によるノズルの閉塞を防止することができる燃焼灰堆積防止装置およびこれを備えたダクトを提供することを目的とする。
【課題を解決するための手段】
【０００７】
上記課題を解決するために、本発明の燃焼灰堆積防止装置は、以下の手段を採用する。
すなわち、本発明にかかる燃焼灰堆積防止装置は、燃焼灰を含む燃焼ガスを導くとともに傾斜して延在する傾斜ダクトに設けられ、前記傾斜ダクトの底部から該傾斜ダクト内に向けて立設する立設部、及び、該立設部に連通するとともに前記燃焼ガスの下流側に向けて気体を吹き出す吹出部を有するノズルと、前記立設部から前記吹出部へと流れるように前記気体を供給する気体供給手段と、を備えた燃焼灰堆積防止装置において、前記吹出部は、前記立設部の立設高さよりも低い位置に配置され、前記立設部と吹出部との間には、該立設部から折り返して前記吹出部に向かって前記傾斜ダクトの前記底部側に下降する下降部が設けられ、前記ノズルの前記吹出部に、前記傾斜ダクト内に対して開閉可能な蓋部材が設けられていることを特徴とする。
【０００８】
本発明によれば、燃焼灰が傾斜ダクトの底部に堆積し、吹出部からノズル内に入り込んできた場合であっても、ノズルの吹出部が立設部の立設高さよりも低い位置に配置されており、かつ、立設部と吹出部との間に立設部から折り返して吹出部に向かって傾斜ダクトの底部側に下降する下降部が設けられているので、燃焼灰が下降部を越えて立設部まで到達することがない。つまり、燃焼灰がノズルの吹出部内に堆積した場合であっても、堆積した燃焼灰は吹出部内に止まり、立設部を閉塞することがないので、気体供給手段から気体を供給することによって吹出部内に堆積した燃焼灰をノズル外へと排出することができる。したがって、燃焼灰によってノズルが閉塞されることがない。
【００１０】
また、燃焼灰が傾斜ダクトに堆積し、吹出部からノズル内に入り込もうとする場合であっても、ノズルの吹出部に前記傾斜ダクト内に対して開閉可能な蓋部材が設けられているので、燃焼灰はノズル内部に入り込むことがなく、燃焼灰によってノズルが閉塞されることがない。
例えば、ノズルから気体を吹き出す場合、吹き出す力により蓋部材が開き、気体を吹き出さない時は閉じている状態であって、ノズルの外側からの力が加わっても開かない、いわゆる逆止蓋の構造となっており、この構造によれば、堆積した燃焼灰のノズル内部への入り込みを確実に防ぐことができる。したがって、燃焼灰によるノズルの閉塞防止をより一層高めることができる。
【００１１】
さらに、本発明の燃焼灰堆積防止装置は、ノズルに、燃焼灰を含む燃焼ガスの流れによる磨耗を防止するための磨耗防止手段が設けられていることを特徴とする。
【００１２】
本発明によれば、傾斜ダクト内を流れる燃焼灰を含む燃焼ガスにノズルが長時間さらされている場合であっても、ノズルに磨耗防止手段が設けられているので、この燃焼灰を含む燃焼ガスの影響によるノズルの磨耗を防止することができる。したがって、ノズルの寿命を大幅に向上させることができる。
【００１３】
さらに、本発明の堆積防止装置は、傾斜ダクトの上流部は水平ダクトに接続され、該傾斜ダクトと前記水平ダクトの接続部近傍に前記燃焼灰と前記燃焼ガスを分離するためのホッパが設けられ、該ホッパの上流には、該ホッパ側に気体を吹き出すノズルが設けられていることを特徴とする。
【００１４】
ボイラの負荷が低く、傾斜ダクト内の流速が遅くなる場合、あるいはボイラ停止時には、傾斜ダクト内に堆積した燃焼灰が雪崩のように崩れ落ちて、傾斜ダクトと水平ダクトの接続部で堆積しやすい状態となるが、傾斜ダクトと水平ダクト近傍にホッパが設けられて、更にホッパの上流に設けられるノズルから、ホッパ側に気体を吹き出すことにより、燃焼灰はダクト接続部に堆積することなくホッパに導かれ、さらに、巻き上げられた燃焼灰は、燃焼ガスの主流に乗せられて下流側へ導かれる。したがって、ダクト接続部近傍に設けられたノズルが、燃焼灰の堆積により埋没して閉塞されることを防止することができる。
【００１５】
さらに、上述した本発明の燃焼灰堆積防止装置は、前記ノズルから吹き出される前記気体は、前記燃焼ガスの一部が利用されることを特徴とする。
【００１６】
本発明によれば、ノズルから吹き出される気体に、燃焼ガスの一部を循環して利用することで、外部空気を導入して吹き出す場合に比べて、ダクト内の温度変化を小さくすることができる。したがって、燃焼灰の固化を防止するとともに、ダクト内を流れる未燃分が燃焼することを防止し、かつ、ダクトの損傷を防止することができる。
【００１７】
さらに、本発明にかかるダクトは、燃焼灰を含む燃焼ガスを導くとともに傾斜して延在する傾斜ダクトと、該傾斜ダクトの燃焼ガス流れの上流部に接続される水平ダクトを備えたダクトに、上述したいずれかの燃焼灰堆積防止装置を備えていることを特徴とする。
【００１８】
本発明によれば、燃焼灰を含む燃焼ガスを導くとともに傾斜して延在する傾斜ダクトと、この傾斜ダクトの燃焼ガス流れの上流側に接続される水平ダクトを備えたダクトにおいて、本発明の請求項１から請求項５に記載のいずれかに記載の燃焼灰堆積防止装置を設けることにより、立地上の制約を受けて、燃焼ガス流れの後流側が高くなる勾配を有するように傾斜させて設置される傾斜ダクトと、この傾斜ダクトの上流部に水平ダクトが接続されているダクト内に燃焼灰が堆積した場合であっても、ノズルの閉塞が防止される。したがって、ダクト内に燃焼灰を含む燃焼ガスを良好に導くことができる。
【発明の効果】
【００１９】
本発明の燃焼灰堆積防止装置によれば、ノズル吹出部からノズル内に入り込んできた場合であっても、ノズルの吹出部が立設部の立設高さよりも低い位置に配置されており、かつ、立設部と吹出部との間に立設部から折り返して吹出部に向かって傾斜ダクトの底部側に下降する下降部が設けられているので、燃焼灰が下降部を越えて立設部まで到達することがない。つまり、燃焼灰がノズルの吹出部内に堆積した場合であっても、堆積した燃焼灰は吹出部内に止まり、立設部を閉塞することがないので、気体供給手段から気体を供給することによって吹出部内に堆積した燃焼灰をノズル外へと排出することができる。したがって、ノズルからの安定した気体吹き出しができるようになり、ノズル内に詰まった燃焼灰を取り除く等の作業が不要となる。
【００２０】
さらに、本発明のダクトによれば、燃焼灰を含む燃焼ガスを導くとともに傾斜して延在する傾斜ダクトと、この傾斜ダクトの燃焼ガス流れの上流側に接続される水平ダクトを備え、上述したいずれかに記載の燃焼灰堆積防止装置を設けることにより、立地上の制約を受けて、燃焼ガス流れの後流側が高くなる勾配を有するように傾斜させて設置される傾斜ダクトと、この傾斜ダクトの上流側に水平ダクトが接続されているダクト内に燃焼灰が堆積した場合であっても、ノズルの閉塞を防止して安定した気体供給が行われるとともに、ダクト内に燃焼灰を含む燃焼ガスを良好に導くことができる。
【発明を実施するための最良の形態】
【００２１】
以下に、本発明にかかる実施形態について、図面を参照して説明する。
[第１実施形態]
本発明の第１実施形態について、図１を用いて説明する。
図１には、本発明の第１実施形態にかかる燃焼灰堆積防止装置のノズルの正面図が示されている。具体的には、発電用ボイラからの燃焼灰を含む燃焼ガスを導くための傾斜ダクト１が示されている。この傾斜ダクト１は、燃焼ガス流れの下流側が高くなる勾配を有するように配置されている。
傾斜ダクト１の底部１ａには、ノズル２が設けられている。なお、同図では、ノズル２が１つのみ示されているが、図５を用いて後述するように、実際には傾斜ダクト１の長手方向にわたって複数設けられている。ノズル２は、傾斜ダクト１の底部１ａから立設された立設部２ａと、この立設部２ａに連通されて傾斜ダクト１内を流れる燃焼ガスの下流側に向けて気体を吹き出す吹出部２ｂとを有している。吹出部２ｂは、立設部２ａの立設高さよりも低い位置に配置されている。すなわち、この立設部２ａの頂部は吹出部２ｂよりも高い位置とされている。立設部２ａと吹出部２ｂとの間には、立設部２ａから折り返して吹出部２ｂに向かって傾斜ダクト１の底部１aに下降する下降部２ｃが設けられている。
ノズル２は、円形断面を有し、立設部２ａと下降部２ｃを連通する連通部分２ｄは、正面視した場合に円弧形状を形成した状態となっている（図１参照）。
このノズル２の下部には、気体供給管（図示なし）を介して気体供給手段（図示なし）が接続されている。気体供給管の中途位置には、ノズル２に供給される気体９の流量を調整するための流量制御弁（図示なし）が設けられている。傾斜ダクト１の下流側は、例えば、図示しない煙突や集塵装置に接続されている。
【００２２】
なお、上述したノズル２の吹出部２ｂの吹き出し角度は、傾斜ダクト１の底部１ａと略平行に吹き出すように調整されている。あるいは、底部１ａ側に向けて角度を付け、やや下向きに角度を付けて吹き出すことが好ましい。これにより、燃焼灰４を適度に巻き上げることができる。
【００２３】
以上に説明の本実施形態によると、以下の作用効果を奏する。
発電用ボイラ（図示なし）から排出された燃焼灰を含む燃焼ガスは、図１に示す矢印１１の方向から傾斜ダクト１内に導かれる。
【００２４】
ノズル２には、図示しない気体供給手段（例えば、送風機）から気体９が供給されて、吹出部２ｂから傾斜ダクト１内の下流側に向けて吹き出される。ノズル２に供給される気体９の流量は、流量制御弁（図示なし）によって適度な流量に調整される。そして、傾斜ダクト１の底部１ａに堆積した燃焼灰４に気体９が吹き付けられることによって燃焼灰４が巻き上げられる。この巻き上げられた燃焼灰４は、傾斜ダクト１内を流れる燃焼ガスの主流と合流して下流側へ導かれていく。気体供給手段から供給される気体の流量は、気体供給管の中途位置に設けられている流量制御弁にて調整されるようになっている。
傾斜ダクト１内を流れた燃焼ガスは、傾斜ダクト１の下流側に接続されている煙突へ導かれて大気へ放出され、燃焼灰４は集塵装置に導かれることとなる。
【００２５】
傾斜ダクト１内においては、底部１ａに燃焼灰４が徐々に堆積される。この堆積された燃焼灰４は、特にボイラの負荷が低く、傾斜ダクト１内の流速が遅くなる場合、あるいは、ボイラ停止時に、傾斜ダクト１の上流側へ雪崩のように崩れ落ちてくる。崩れ落ちた燃焼灰４は、図１に示すように、吹出部２ｂからノズル２内に入り込んでくる。
【００２６】
これに対して、本実施形態では、ノズル２の吹出部２ｂが立設部２ａの立設高さよりも低い位置に配置されており、しかも、立設部２ａと吹出部２ｂとの間に立設部２ａから折り返して吹出部２ｂに向かって傾斜ダクト１の底部１ａ側に下降する下降部２ｃが設けられている。
このため、燃焼灰４が傾斜ダクト１の底部１ａに堆積し、吹出部２ｂからノズル２内に入り込んできた場合であっても、堆積した燃焼灰４は吹出部２ｂ部分にのみ止まることとなり、立設部２ａまで燃焼灰４が到達することがないので、立設部２ａの閉塞を防止することができる。したがって、気体供給手段から気体９を供給することによって吹出部２ｂ内に堆積した燃焼灰４をノズル２外へと排出することができ、燃焼灰４によるノズル２の閉塞を防止して安定した気体９の吹き出しができる。
なお、ノズル２に供給される気体９の流量は、吹出部２ｂが燃焼灰４で閉塞された場合でも、既設置の送風機能力で燃焼灰を十分排出可能な流量を供給することができ、新たに容量の大きい送風機を用いる必要はない。
【００２７】
また、図２に示すように、ノズル２の吹出部２ｂに、傾斜ダクト１内に対して開閉可能な蓋部材３０を設けてもよい。
これにより、燃焼灰４が傾斜ダクト１の底部１ａに堆積し、吹出部２ｂからノズル２内に入り込もうとしている場合であっても、蓋部材３０により吹出部２ｂからの燃焼灰４の入り込みを防止することができる。
【００２８】
蓋部材３０は、ノズル２の吹出部２ｂから気体９が吹き出される場合、この気体９を吹き出す圧力により、図２の二点鎖線で示す蓋部材３０ｂのような状態に開かれる。一方、空気が吹き出されない場合は、実線で示す蓋部材３０ａのように閉じている状態とされている。この閉じている状態でノズル２の外側からの力が加わる、すなわち、燃焼灰４が吹出部２ｂへ入り込もうとする場合には蓋部材３０ａが開かない構造、いわゆる、逆止蓋の構造となり、傾斜ダクト１の底部１ａに堆積された燃焼灰４の吹出部２ｂからノズル２内への入り込みを確実に防止することができる。したがって、燃焼灰４によるノズル２の閉塞防止を、より一層高めることが可能となる。
なお、蓋部材３０は、例えば、ヒンジ部材により開閉される構造となっている。
【００２９】
さらに、ノズル２は、図３に示すように、傾斜ダクト１内を流れる燃焼ガスによるノズル２の磨耗を防止するための磨耗防止手段としてプロテクタ５０を設けることとしてもよい。プロテクタ５０は、立設部２ａから連通部２ｄの上流側にわたって設けられている。
傾斜ダクト１内を流れる燃焼灰を含む燃焼ガスにノズル２が長時間さらされていると磨耗してしまう不具合が発生する。特に、ノズル２は、矢印１１に示す燃焼ガス流れの上流側の側面が影響をもっとも受けて磨耗しやすい。プロテクタ５０を設けることにより、燃焼ガスにノズル２が長時間さらされている場合であっても磨耗を防止することができる。したがって、ノズル２の寿命を大幅に向上させることが可能となる。
【００３０】
さらに、ノズル２の吹出部２ｂにおいて、吹出部が徐々に狭くなるような先細り形状としてもよい。
これによれば、燃焼灰４が吹出部２ｂから入り込みにくくなるとともに、吹出部２ｂから吹き出される気体９の流速を高めることができる。
【００３１】
[第２実施形態]
次に、本発明の第２実施形態について、図４を用いて説明する。
図４には、本発明の第２実施形態にかかる燃焼灰堆積防止装置のノズルの正面図が示されている。本実施形態のノズルは、パイプ形状とされた第１実施形態と異なり、箱形形状とされている。
同図には、発電用ボイラからの燃焼灰を含む燃焼ガスを導くための傾斜ダクト１０が示されている。この傾斜ダクト１０は、第１実施形態と同様に、燃焼ガス流れの下流側が高くなる勾配を有するように配置されている。傾斜ダクト１０の底部１０ａには、ノズル２０が設けられており、このノズル２０は、傾斜ダクト１０から立設された立設部２０ａと、この立設部２０ａに連通されて、傾斜ダクト１０内を流れる燃焼ガスの下流側に向けて気体を吹き出す吹出部２０ｂを有している。吹出部２０ｂは、立設部２０ａの立設高さよりも低い位置に配置され、立設部２０ａと吹出部２０ｂとの間には、立設部２０ａから折り返して吹出部２０ｂに向かって傾斜ダクト１０の底部１０ａに下降する下降部２０ｃが設けられている。ノズル２０は、矩形断面を有し、立設部２０ａの上流側側面と下降部下流側の側面が隣接されて形成されている。第１実施形態と同様に、この立設部２０ａの頂部は吹出部２０ｂより高い位置とされている（図４参照）。
ノズル２０への気体９の供給にかかる構成については、第１実施形態と同様であり、その説明を省略する。
【００３２】
また、上述したノズル２０の吹出部２０ｂの吹き出し角度は、第１実施形態と同様に、傾斜ダクト１０の底部１０ａと略水平として吹き出すか、あるいは、底部１０ａ側に向けて角度を付ける、すなわち、やや下向きに角度を付けて吹き出すことが好ましく、燃焼灰を適度に巻き上げることができる。
【００３３】
以上に説明の本実施形態によると、以下の作用効果を奏する。
上述した第１実施形態と同様に、傾斜ダクト１０内においては、底部１０ａに燃焼灰４０が徐々に堆積される。この堆積された燃焼灰４０は、特にボイラの負荷が低く、傾斜ダクト１０内の流速が遅くなる場合、あるいは、ボイラ停止時に、傾斜ダクト１０の上流側へ雪崩のように崩れ落ちてくる。崩れ落ちた燃焼灰４０は、図４に示すように、吹出部２０ｂからノズル２０内に入り込んでくる。
これに対して、本実施形態では、ノズル２０の吹出部２０ｂが立設部２０ａの立設高さよりも低い位置に配置されており、しかも、立設部２０ａと吹出部２０ｂとの間に立設部２０ａから折り返して吹出部２０ｂに向かって傾斜ダクト１０の底部１０ａ側に下降する下降部２０ｃとが設けられている。
このため、燃焼灰４０が傾斜ダクト１０の底部１０ａに堆積し、吹出部２０ｂからノズル２０内に入り込んできた場合であっても、堆積した燃焼灰４０は吹出部２０ｂ部分にのみ止まることとなり、立設部２０ａまで燃焼灰４０が到達することがないので、立設部２０ａの閉塞を防止することができる。したがって、図示しない気体供給手段から気体９を供給することによって吹出部２０ｂ内に堆積した燃焼灰４０をノズル２０外へと排出することができ、燃焼灰４０によるノズル２０の閉塞を防止して安定した気体９の吹き出しができる。
【００３４】
本実施形態のノズル２０においても、上述した第１実施形態と同様に、吹出部２０ｂに、傾斜ダクト１０内に対して開閉可能な蓋部材を設けてもよいし、傾斜ダクト１０内を流れる高温の燃焼ガスによるノズル２０の磨耗を防止するための磨耗防止手段としてプロテクタを設けることとしてもよい。（図２及び図３参照）
【００３５】
さらに、第１実施形態と同様に、ノズル２０の吹出部２０ｂにおいて、吹出部が徐々に狭くなるような先細り形状としてもよい。
【００３６】
[第３実施形態]
次に、本発明の第３実施形態について、図５を用いて説明する。
図５には、本発明の第３実施形態にかかる燃焼灰堆積防止装置が設置されたダクトの概略図が示されている。
具体的には、発電用ボイラからの燃焼灰を含む燃焼ガスを導くための傾斜ダクト１と、水平ダクト８とが示されている。傾斜ダクト１は、燃焼ガス流れの後流側が高くなる勾配を有するように設置されている。水平ダクト８は、傾斜ダクト１の上流側に接続されている。傾斜ダクト１と水平ダクト８が接続される接続部の水平ダクト８側には、ホッパ３が設けられている。
傾斜ダクト１及び水平ダクト８の底部から、これらダクト１，８内に向けて設置された複数のノズル２が設けられている。各ノズル２は、ダクト１，８内に向けて立設された立設部２ａと、この立設部２ａに連通されて燃焼ガス流れの下流側に向けて気体を吹き出すための吹出部２ｂとを有している。
これら複数のノズル２の下部には、気体供給管５が接続されている。気体供給管５は流量制御弁６を介して気体供給手段である送風機７に接続されている（図５参照）。
【００３７】
なお、本実施形態では、上述した第１実施形態のノズルを用いた例を示しているが、第２実施形態の箱形状とされたノズルを適用してもよい。
【００３８】
以上に説明の本実施形態によると、以下の作用効果を奏する。
ボイラから排出された燃焼灰を含む燃焼ガスは、図５に示す矢印１１の方向から水平ダクト８内を通って傾斜ダクト１へと導かれる。
【００３９】
ノズル２には、気体が送風機７によって供給されて、吹出部２ｂから傾斜ダクト１内の下流側に向けて吹き出される。ノズル２に供給される気体の流量は、気体供給管５の中途位置に設けられている流量制御弁６によって適度な流量に調整される。そして、傾斜ダクト１と水平ダクト８の底部に堆積した燃焼灰に気体が吹き付けられることによって燃焼灰が巻き上げられる。この巻き上げられた燃焼灰は、傾斜ダクト１と水平ダクト８を流れる燃焼ガスの主流と合流して下流側へと導かれていく。
傾斜ダクト１内を流れた燃焼ガスは、傾斜ダクト１の下流側に接続されている煙突（図示なし）へ導かれて大気へ放出され、燃焼灰は集塵装置（図示なし）に導かれることとなる。
【００４０】
ボイラが低負荷運転を行うと、傾斜ダクト１内及び水平ダクト８内を流れる燃焼灰を含む燃焼ガスの流速が遅くなり、特に、傾斜ダクト１内の底部２に燃焼灰が堆積しやすい状態となる。あるいは、ボイラ停止時にも同様に傾斜ダクト１内の底部１ａに燃焼灰が堆積しやすい。この場合、堆積された燃焼灰が雪崩のように崩れ落ちて傾斜ダクト１と水平ダクト８との接続部付近に堆積して、接続部付近に設けられたノズル２の全体を覆って埋没させてしまうことがある。
【００４１】
これに対して、本実施形態では、傾斜ダクト１と水平ダクト８の接続部近傍の水平ダクト８側に、燃焼灰と燃焼ガスを分離するホッパ３が設けられており、さらに、ホッパ３の上流にノズル２が設けられている。
このため、傾斜ダクト１の底部１ａに堆積された燃焼灰が崩れ落ちて、傾斜ダクト１と水平ダクト８の接続部に堆積しやすい状態であっても、接続部近傍の水平ダクト８側に設けられたホッパに導かれることとなり、さらに、ホッパの上流側に設けられたノズル２から気体を吹き出すことで、傾斜ダクト１と水平ダクト８の接続部に燃焼灰が堆積することがない。したがって、接続部近傍に設けられたノズル２であっても、燃焼灰により埋没して閉塞されることなく安定して気体を吹き出すことができる。
なお、ノズル２に供給される気体の流量は、第１実施形態と同様に、吹出部２ｂが燃焼灰４で閉塞された場合でも、既設置の送風機７の能力で燃焼灰を十分排出可能な流量を供給することができ、新たに容量の大きい送風機を用いる必要はない。
【００４２】
また、上述のように、本実施形態の複数のノズル２から吹き出される気体は、送風機７から供給される。この時、気体供給管５の中途位置に設けられている流量制御弁６により、各ノズル２に供給される気体の流量が調整されることとなるが、燃焼ガス流れの上流側に設けられているノズルから下流側のノズルの順に、所定の時間間隔をおいて吹き出すようにしている。これは、下流側ほど燃焼ガスの流速が落ちてくるため、上流側のノズルから順番に気体を吹き出すことで、燃焼ガスの流速を安定させることができるからである。
なお、送風機７の容量を考慮すれば、常にいずれか１つのノズルが気体を吹き出していればよく、全てのノズルから同時に吹き出させる必要はない。
【００４３】
なお、本実施形態の複数のノズル２から吹き出される気体は、ダクト内を流れる燃焼ガスの一部を送風機７にてブーストアップして循環させて利用することが好ましい。これにより、外部からの空気よりも、傾斜ダクト１及び水平ダクト８内の温度と、ノズル２より吹き出される燃焼ガスの温度との温度差を小さくすることができる。したがって、ダクト内での燃焼灰の固化を防止することができ、ダクト内を流れる未燃分が燃焼することを回避することによってダクトの損傷を防止することができる。
【００４４】
なお、本発明は、上述した実施形態にかかる発明に限定されるものではなく、その要旨変更は逸脱しない範囲において、適宜変更が可能である。
【図面の簡単な説明】
【００４５】
【図１】本発明の一実施形態にかかる燃焼灰堆積防止装置のノズルを示す正面図である。
【図２】図１のノズルに蓋部材を備えた構成を示す正面図である。
【図３】図１のノズルに磨耗防止手段を備えた構成を示す正面図である。
【図４】本発明の一実施形態にかかる燃焼灰堆積防止装置のノズルを示す正面図である。
【図５】本発明の一実施形態にかかる燃焼灰堆積防止装置を備えたダクトの概略図である。
【図６】従来の燃焼灰堆積防止装置のノズルを示す正面図である。
【符号の説明】
【００４６】
１，１０，１００  傾斜ダクト
２，２０，１０２  ノズル
２ａ，２０ａ，１０２ａ  立設部
２ｂ，２０ｂ，１０２ｂ  吹出部
３  ホッパ
４，４０，１０４  燃焼灰
５  気体供給管
６  流量制御弁
７  送風機（気体供給手段）
８  水平ダクト
９  気体
３０  蓋部材
５０  プロテクタ
【図１】
0005106967.tif 000002
【図２】
0005106967.tif 000003
【図３】
0005106967.tif 000004
【図４】
0005106967.tif 000005
【図５】
0005106967.tif 000006
【図６】
0005106967.tif 000007